(57)【要約】【課題】画像を読み取った後に排出したフィルムの取扱いに優れた画像読取装置を提供する。【解決手段】フィルムスキャナ１には３５ｍｍフィルムを挿入するための３５ｍｍ挿入口２形成されており、３５ｍｍ挿入口２から挿入されたフィルムＦは搬送ローラ１１によって搬送路１２を搬送される。画像読取後のフィルムの排出の際に、長いフィルムの場合には、最初の排出でフィルムの先端部が搬送ローラ１１に噛まれた状態でフィルムが止まるので、フィルムは落下することがなく、フィルムの取出しも容易にできる。一方、短いフィルムの場合には、最初の排出の後、再度の排出によってフィルムの先端部を搬送ローラ１１で噛んだ状態が解除されるのでより容易にフィルムを取り出すことができる。【選択図】      図３
2004260597.tif 000002
【特許請求の範囲】
【請求項１】
フィルムの画像を読み取る画像読取装置において、
前記フィルムを搬送する搬送手段と、
前記フィルムを保持する保持手段と、
前記フィルムの排出を要求する排出要求手段と、
前記排出要求手段により最初の排出要求があったときに、前記搬送手段によって前記フィルムを排出方向に搬送し、前記フィルムの先端部を前記保持手段によって保持される位置にフィルム位置を制御し、前記排出要求手段により２回目の排出要求があったときに、前記搬送手段によって前記フィルムを前記排出方向にさらに搬送して、前記保持手段による前記フィルムの先端部の保持が解除される位置にフィルム位置を制御する位置制御手段とを備えたことを特徴とする画像読取装置。
【発明の詳細な説明】
【０００１】
【発明の属する技術分野】
本発明は、光源を用いてフィルムに照射した透過光または反射光を撮像素子で撮像してフィルムの画像を読み取る画像読取装置に関する。
【０００２】
【従来の技術】
従来、フィルムなどの透過原稿の画像を読み取る画像読取装置では、フィルムと撮像素子とを相対移動させながら、フィルム面に光源から光を照射し、それによって得られる透過光を撮像素子で撮像することにより画像を読み取っている。
【０００３】
このような画像読取装置が読み取れるフィルムの種類には様々なものがあり、例えば、銀鉛カメラ用の３５ｍｍフィルム、ＡＰＳフィルム、ブローニフィルム等がある。さらに、これらのフィルムの形態には種々のものがあり、３５ｍｍフィルムやブローニフィルムではフィルムを数コマずつカットしたものやカットせずに長尺のもの、また、１コマずつにカットしてスライド用にマウントしたものなどがある。さらに、ＡＰＳフィルムでは、上記した３５ｍｍフィルム等と同様な形態のもののほかに、カートリッジにフィルムを収めた状態のものがある。
【０００４】
また、フィルムを画像読取装置に挿入する方法としては、各種フィルム用のホルダにフィルムをセットして、ホルダごとフィルム挿入口から画像読取装置に挿入する方法や、ホルダを使用せずにフィルムを直にフィルム挿入口から挿入する方法がある。
【０００５】
フィルムを直に挿入する方法では、一般に、ホルダにフィルムをセットして挿入する場合のようなコマ数の制限がないので、短くカットされたフィルムから長尺のフィルムまで画像を読み取ることができる。画像を読み取った後はフィルムをフィルム挿入口から排出して、フィルムの先端部（挿入方向の端部）だけをフィルム挿入口に残した状態にしてユーザがフィルムを取り出せるようにしている。
【０００６】
画像読取装置はその種類により、上記の様々なフィルムの種類・形態のうち、幾つかの種類・形態のフィルムを読み取ることができる。
【０００７】
【発明が解決しようとする課題】
しかしながら、上記の従来の画像読取装置のうちフィルムを直に画像装置内に挿入する方法を採用しているものは、フィルムが長尺の場合には画像読取装置からフィルムの大部分が排出された状態になるため、フィルム先端部を搬送ローラのニップ力で保持しないとフィルムは自重により画像読取装置から落下してしまう恐れがあった。このフィルムの落下はフィルムの汚損の原因となっていた。
【０００８】
一方、フィルムが短くカットされたものの場合には、フィルム後端部側があまりフィルム挿入口から出ていない状態になるため、フィルム先端部を搬送ローラのニップ力で保持してしまうとユーザがフィルムを取り出しにくくなってしまう。
【０００９】
このように、長尺のフィルムの画像を読み取る場合及び短いフィルムの画像を読み取る場合のいずれの場合にも使い勝手を良くすることは、上記の技術では実現することができない。特にラボ業者など業務で画像読取装置を使用する場合には、使用者がフィルムの挿入後は画像の読み取りから排出まで自動で行われ、その間、使用者は画像読取装置から離れて別の業務を行なうことが多いので、排出の際のフィルムの取り扱いは重要である。ところが、従来の画像読取装置には排出のフィルムの取扱いを向上させようとするものがなかった。
【００１０】
本発明の目的は、画像を読み取った後に排出したフィルムの取扱いに優れた画像読取装置を提供することにある。
【００１１】
【課題を解決するための手段】
上記目的を達成するために、請求項１の画像読取装置は、フィルムの画像を読み取る画像読取装置において、前記フィルムを搬送する搬送手段と、前記フィルムを保持する保持手段と、前記フィルムの排出を要求する排出要求手段と、前記排出要求手段により最初の排出要求があったときに、前記搬送手段によって前記フィルムを排出方向に搬送し、前記フィルムの先端部を前記保持手段によって保持される位置にフィルム位置を制御し、前記排出要求手段により２回目の排出要求があったときに、前記搬送手段によって前記フィルムを前記排出方向にさらに搬送して、前記保持手段による前記フィルムの先端部の保持が解除される位置にフィルム位置を制御する位置制御手段とを備えたことを特徴とする。
【００１２】
【発明の実施の形態】
以下、本発明の実施の形態に係る画像読取装置を図面を参照しながら詳細に説明する。
【００１３】
（第１の実施の形態）
図１は、本発明の第１の実施の形態に係る画像読取装置の斜視図である。
【００１４】
本発明の実施の形態に係る画像読取装置は、銀鉛カメラのフィルムから画像を読み取るフィルムスキャナに適用される。
【００１５】
図１の画像読取装置１は銀鉛カメラのフィルムから画像を読み取るフィルムスキャナであり、３５ｍｍフィルム及びＡＰＳフィルムの画像を読み取ることができる。フィルムスキャナ１には３５ｍｍフィルムを挿入するための３５ｍｍ挿入口２及びＡＰＳフィルムを挿入するためのＡＰＳ挿入口３が形成されており、挿入したフィルムを取り出すためのイジェクトボタン４（排出要求手段）が正面に配設されている。
【００１６】
３５ｍｍ挿入口２の下には、フィルムスキャナ１の外部から内部に３５ｍｍフィルムを導くためのガイド溝５が形成されており、数コマ程度の短いフィルムから４０コマ程度の長尺フィルムまで様々な長さの３５ｍｍフィルムを挿入することができる。ＡＰＳ挿入口３の下には、フィルムスキャナ１の外部から内部にＡＰＳフィルムを導くためのガイド溝６が形成されており、ＡＰＳカートリッジまたはＡＰＳフィルムを挿入することができる。
【００１７】
図２は、３５ｍｍフィルムの給送及び画像読取を説明するブロック図である。
【００１８】
同図のフィルムＦは短くカットしたものを例として示してある。３５ｍｍ挿入口２から挿入されたフィルムＦは搬送ローラ１１によって搬送路１２を搬送される。搬送ローラ１１（搬送手段、保持手段）は搬送モータＭ（搬送手段）の駆動によって正転／反転のいずれの回転方向にも回転される。搬送ローラ１１はフィルムスキャナ１の内部で３５ｍｍ挿入口２の近傍から搬送路１２に沿って搬送路１２の上下に一組ずつ、複数組が配設されている。搬送路１２の奥には搬送されてきたフィルムＦを収容するためのフィルム室１３が配設されている。搬送路１２の途中には上下に貫通した空間１４が形成されている。この空間１４はフィルムＦの画像を読み取るための画像読取位置であり、この画像読取位置をフィルムＦがフィルム室１３に向かって通過する際に、フィルムＦの画像が後述するようにして読み取られる。画像読取位置とは、言い換えると、後述するランプ１７から撮像光学系１８を介してＣＣＤ１９に至る光軸とフィルムＦが搬送される搬送路１２とが交わる位置である。
【００１９】
３５ｍｍ挿入口２の近傍にはフィルムの挿入を検知するためのフィルム挿入センサ１５が配設されており、最初の一組の搬送ローラ１１と次の一組の搬送ローラ１１との間にはフィルムＦの先端を検知するためのフィルム先端センサ１６が配設されている。
【００２０】
空間１４の直上には、フィルムＦの画像を読み取る際にフィルムＦに光を照射するためのランプ１７が配設されている。空間１４の直下には、ランプ１７から照射され、フィルムＦを透過した透過光Ｌを導く撮像光学系１８が配設されている。この撮像光学系１８によって透過光ＬはＣＣＤ１９まで導かれる。ＣＣＤ１８が透過光Ｌを受光して得た撮像データは、信号回路２０、メモリ２１を介してマイコン３０に送られる。マイコン３０は信号回路２０、メモリ２１、搬送モータＭを制御し、インバータ２２を介してランプ１７を制御する。さらに、マイコン３０（位置制御手段）は、イジェクトボタン４、フィルム挿入センサ１５、フィルム先端センサ１６、メモリ２０から受け取った信号を処理するなどしており、フィルムＦの搬送制御、画像読取り等のフィルムスキャナ１の全ての制御を行っている。
【００２１】
フィルムの搬送制御は搬送モータＭを駆動して搬送ローラ１１を回転させることによって行なう。例えば、フィルムＦが３５ｍｍ挿入口２挿入されたことをフィルム挿入センサ１５によって検出すると、搬送モータＭを正転方向に駆動する。これにより、搬送ローラ１１はフィルムＦをフィルム室１３に向かって搬送する向きに回転する。搬送ローラ１１によって搬送されたフィルムＦは、フィルム室１３に渦を巻くように収められる。フィルムＦが搬送ローラ１１に噛んだ状態では、マイコン３０はフィルムＦの走行速度を一定に保つために、搬送ローラ１１の回転速度が一定になるように搬送モータＭを制御する。
【００２２】
引き込まれたフィルムＦを排出する場合には、搬送モータＭを逆転方向に駆動して搬送ローラ１１を逆に回転させる。フィルムＦの先端部だけがフィルムスキャナ１の内部に残る状態になるまでフィルムＦを排出する。排出時の動作の詳細については後述する。
【００２３】
フィルムからの画像読取制御は、ランプ１７から光をフィルムＦに照射し、フィルムＦを透過した透過光を撮像光学系１８によってＣＣＤ１９に導きてＣＣＤ１９で撮像し、信号処理回路２０で信号処理を行なった後にメモリ２１に撮像データとして蓄える。メモリ２１に蓄えられた画像データは、不図示のパーソナルコンピュータやプリンタなどに転送されて利用される。ランプ１７の光量は、インバータ２２を制御することによって最適な光量に調節される。
【００２４】
図３は、図１のフィルムスキャナ１の動作を示すフローチャートである。
【００２５】
図３のフローチャートは、図２のメモリ２１に内蔵され、マイコン３０で処理されるプログラムフローを示すプログラム図であり、マイコン３０は該プログラムフローに従って制御動作を実行する。
【００２６】
以下に、フローの各ステップに沿って説明する。
【００２７】
ステップＳ１０１では、３５ｍｍ挿入口２に３５ｍｍフィルムが挿入されるまで待機する。フィルムが挿入されたか否かの判断は、フィルム挿入センサ１５がフィルムを検出したか否かによって行われる。
【００２８】
フィルムの挿入が検出されると、搬送モータＭを正転方向に駆動開始する（ステップＳ１０２）。この搬送モータＭの駆動によって搬送ローラ１１が回転し、フィルムＦをフィルムスキャナ１内に引き込む。
【００２９】
引き込まれたフィルムＦの読取開始位置が画像読取位置に到達するまで待機する（ステップＳ１０３）。具体的には、フィルムＦ上のあらかじめ指定された読取開始位置が画像読取位置に到達するまで待機する。
【００３０】
フィルムＦが画像読取開始位置に到達したときに、画像読取りを開始する（ステップＳ１０４）。画像読取りは、フィルムＦを一定速度で搬送しながらランプ１７からフィルムＦに光を照射し、フィルムＦを透過した透過光Ｌを撮像光学系１８によってＣＣＤ１９に導いてＣＣＤ１９で撮像することによりなされる。
【００３１】
フィルムＦの読取終了位置が画像読取位置に到達するまで画像読取りを継続する（ステップＳ１０５）。具体的には、フィルムＦ上のあらかじめ指定された読取終了位置が画像読取位置に到達するまで画像読取りを継続する。
【００３２】
フィルムＦの読取終了位置が画像読取位置に到達したときに、ＣＣＤ１９による撮像を停止し、画像読取りを終了する（ステップＳ１０６）。この後、搬送モータＭの駆動を停止してフィルムＦの搬送を停止する（ステップＳ１０７）。
【００３３】
次に、フィルムＦの排出要求があるか否かを監視し（ステップＳ１０８）、フィルムＦの排出要求が有った場合には、フィルムＦをフィルムスキャナ１から排出するために、搬送モータＭを逆転方向に駆動開始する（ステップＳ１０９）。上記排出要求は、例えば、イジェクトボタン４がユーザにより押された場合に発生する。
【００３４】
フィルムＦの先頭（先端部）まで排出されるのを待つ（ステップＳ１１０）。具体的には、図２に示すようにフィルムＦの先端部が、搬送ローラ１１のうち３５ｍｍ挿入口２に最も近い搬送ローラ１１のみに挟まれた状態（保持された状態）となるまで待つ。先端部まで排出したか否かの判断は、フィルム先端がフィルム先端センサ１６を通過したことを検出することによって判断する。フィルムＦを先端部まで排出した後に、搬送モータＭを停止する（ステップＳ１１１）。
【００３５】
次に、フィルムＦの排出を再度要求されたか否かを確認する（ステップＳ１１２）。再度の排出要求があった場合にはステップＳ１１３に進み、再度の排出要求がない場合にはステップＳ１１７に進む。
【００３６】
再度の排出要求があった場合には（ステップＳ１１２でＹｅｓ）、搬送モータ６を逆転方向に駆動開始して、フィルムＦをさらに排出させる（ステップＳ１１３）。次に、フィルムＦを所定量排出するまでフィルムＦの排出を継続し（ステップＳ１１４）、フィルムＦの所定量を排出した後に、搬送モータＭを停止する（ステップＳ１１５）。この時点でのフィルムＦの状態、すなわち、フィルムＦを所定量排出した状態を図５に示す。同図からわかるように、所定量とは、フィルムＦが３５ｍｍ挿入口２に最も近い搬送ローラ１１から外れた状態（保持が解除された状態）になる量である。
【００３７】
次に、フィルムＦがフィルムスキャナ１から取り除かれるまで待機する（ステップＳ１１６）。フィルムＦが取り除かれたか否の判断は、フィルム挿入センサ１５によってフィルムＦが検知できるか否かによってなされる。フィルムＦが取り除かれた後に本処理を終了する。
【００３８】
ステップＳ１１２においてフィルムＦの排出要求がされていない（Ｎｏ）ことを確認したときは、フィルムＦが取り除かれたか否かを確認する（ステップＳ１１７）。確認方法はステップＳ１１６と同様である。フィルムＦが取り除かれたときは本処理を終了し、フィルムＦが取り除かれていないときは（ステップＳ１１７でＮｏ）、ステップＳ１１２に戻る。
【００３９】
上記の処理によれば、フィルムＦがフィルムスキャナ１に挿入されると、画像の読み取りを行い、それが終了した後に、イジェクトボタン４が押されるなどしてフィルムＦの排出要求があるとフィルムＦを排出する（ステップＳ１０１〜１１１）。排出後のフィルムＦの位置は、フィルムＦの先端が３５ｍｍフィルム挿入口２に最も近い搬送ローラ１１のみに噛まれた位置である。
【００４０】
フィルムＦが長尺である場合の状態を図４に示す。同図からわかるように、フィルムＦの先端部が搬送ローラ１１に噛んでいるので、フィルムＦの自重で落下してしまうことはない。この状態でユーザはフィルムＦを引き出すようにしてフィルムスキャナ１からフィルムＦを取りだすことができる。
【００４１】
短いフィルムの場合は図２に示す状態になるが、この状態では３５ｍｍ挿入口２から出ているフィルムＦの部分が少なく、且つ、先端部が搬送ローラ１１に噛んで保持されているために、ユーザはフィルムＦを取り出しにくい上に、取扱いを間違えるとフィルムを損傷してしまう恐れがある。ここで再度イジェクトボタンを押すなどして排出要求を出すと、ステップＳ１１２→Ｓ１１３→Ｓ１１４→Ｓ１１５によって搬送ローラ１１から外れるまでフィルムＦをさらに排出するので、図５に示す状態となる。この状態ではフィルムＦが自由に動くのでユーザはフィルムＦを容易に取り出せる。
【００４２】
以上より、長尺のフィルムの場合には、最初の排出で搬送ローラ１１がフィルムの先端部を噛んだ状態（保持した状態）で止まるのでフィルムが落下することはなく、フィルムの取出しも容易にできる。一方、短いフィルムの場合には、最初の排出の後、再度の排出を行うことによってフィルムの先端部を搬送ローラ１１で噛んだ状態が解除されるので、より容易にフィルムを取り出すことができるようになる。
【００４３】
なお、上記の説明では、３５ｍｍフィルムを例に挙げたが、ＡＰＳフィルムの場合にも同様に適用できることは言うまでもない。
【００４４】
（第２の実施の形態）
図６は、本発明の第２の実施の形態にかかる画像読取装置としてのフィルムスキャナの動作を示すフローチャートである。
【００４５】
フィルムスキャナの構造は第１の実施の形態に係る画像読取装置の例として説明したフィルムスキャナ１の構造と同一であるので、以下、適宜に上述の図及び用語等を用いて説明する。図６のフローチャートは、図２のメモリ２１に内蔵され、マイコン３０で処理されるプログラムフローを示すプログラム図であり、マイコン３０は該プログラムフローに従って制御動作を実行する。
【００４６】
以下に、フローの各ステップに沿って説明する。
【００４７】
ステップ２０１では、３５ｍｍ挿入口２に３５ｍｍフィルムが挿入されるまで待機する。フィルムが挿入されたか否かの判断は、フィルム挿入センサ１５がフィルムを検出したか否かによって行われる。
【００４８】
フィルムの挿入が検出されると、搬送モータＭを正転方向に駆動開始する（ステップＳ２０２）。この搬送モータＭの駆動によって搬送ローラ１１が回転し、フィルムＦをフィルムスキャナ１内に引き込む。
【００４９】
フィルム先端センサ１６がフィルムＦの先端を検出したか否かを判別する（ステップＳ２０３）。フィルムＦの先端がフィルム先端センサ１６を検出するまで待機し、検出した場合には、検出した時のタイミングをメモリ２１に記憶する（ステップＳ２０４）。
【００５０】
引き込まれたフィルムＦの読取開始位置が画像読取位置に到達するまで待機し（ステップＳ２０５）、フィルムＦが画像読取開始位置に到達したときに、画像読取りを開始する（ステップＳ２０６）。フィルムＦの読取終了位置が画像読取位置に到達するまで画像読取を継続し（ステップＳ２０７）、フィルムＦの読取終了位置が画像読取位置に到達したときに、画像読取りを終了する（ステップＳ２０８）。
【００５１】
次に、フィルムＦの終端がフィルム先端センサ１６を通過するまで待って、フィルムＦの終端（後端）をフィルム先端センサ１６が検出した場合には（ステップＳ２０９）、ステップＳ２０４で記憶したタイミングとフィルムＦの搬送速度とから、フィルムＦの全長を計算し（ステップＳ２１０）、搬送モータＭの駆動を停止して、フィルムＦの搬送を停止する（ステップＳ２１１）。
【００５２】
次に、フィルムＦの排出要求があるか否かを監視し（ステップＳ２１２）、フィルムＦの排出要求が有った場合には、フィルムＦをフィルムスキャナ１から排出するために、搬送モータＭを逆転方向に駆動開始する（ステップＳ２１３）。
【００５３】
フィルムＦの先頭（先端部）まで排出されるのを待ち、先端部まで排出された場合には（ステップＳ２１４）、ステップＳ２１０で計算したフィルム全長が所定値よりも長いか否かを判別し（ステップＳ２１５）、フィルム全長が所定値よりも長い場合（Ｙｅｓ）にはステップＳ２１７に進んで搬送モータＭを停止し、フィルム全長が所定値と同じ長さか短い場合（Ｎｏ）には、ステップＳ２１６に進む。フィルム全長が所定値と同じ長さか短い場合（Ｎｏ）には、フィルムＦを所定量搬送するまで待機して、所定量を搬送した場合には（ステップＳ２１６でＹｅｓ）、ステップＳ２１７に進んで搬送モータＭを停止する。ここで、所定量とは、第１の実施の形態の説明の中で定義したものと同じであり、フィルムＦが３５ｍｍ挿入口２に最も近い搬送ローラ１１から外れた状態（図４参照）になる量である。
【００５４】
次に、フィルムＦがフィルムスキャナ１から取り除かれるまで待機して、フィルムＦが取り除かれた場合には（ステップＳ２１８でＹｅｓ）、本処理を終了する。
【００５５】
上記の処理によれば、第１の実施の形態と同様に、フィルムＦがフィルムスキャナ１に挿入されると、画像の読み取りを行なうが、画像読取に続いてフィルムＦの全長を検出する処理が行われる。その後に、イジェクトボタン４が押されるなどして排出要求があったときはフィルムＦを排出するが、このときにフィルムＦの全長が所定値より長いか否かによって排出するフィルムＦの位置を切り替えている。全長が所定値より長いフィルムの場合には、フィルムＦの先端が３５ｍｍフィルム挿入口２に最も近いローラ１１のみに噛まれた状態（図４参照）になったところで排出を停止し、全長が所定値以下のフィルムの場合には、フィルムＦの先端が３５ｍｍフィルム挿入口２に最も近いローラ１１から外れた状態（図５）になったところで排出を停止している。長いフィルムか短いフィルムかのしきい値は、ローラから外れても落下しない長さかどうかにより設定される。
【００５６】
このようにすることにより、フィルムＦの全長により排出時のフィルムＦの停止位置を自動的に切り替えるので、フィルムＦの長さによらず、容易にかつフィルムＦを損傷することなくフィルムＦを取り出すことができる。
【００５７】
なお、上記の本実施の形態の説明においても、３５ｍｍフィルムを例に挙げたが、ＡＰＳフィルムの場合にも同様に適用できることは言うまでもない。
【００５８】
本発明は、上述した各実施の形態の機能を実現するソフトウェアのプログラム（図５のフローチャート）を画像読取装置の不図示のコンピュータ又はＣＰＵに供給し、そのコンピュータ又はＣＰＵが該供給されたプログラムを読出して実行することによって、その目的を達成することができる。
【００５９】
上記プログラムの形態は、オブジェクトコード、インタプリタにより実行されるプログラムコード、ＯＳ（オペレーティングシステム）に供給されるスクリプトデータ等の形態から成ってもよい。
【００６０】
本発明の実施態様の例を以下に列挙する。
【００６１】
〔実施態様１〕  フィルムの画像を読み取る画像読取装置において、フィルムを搬送する搬送手段と、フィルムを保持する保持手段と、フィルムの排出を要求する排出要求手段と、排出要求手段により最初の排出要求があったときに、搬送手段によってフィルムを排出方向に搬送し、フィルムの先端部を前記保持手段によって保持される位置にフィルム位置を制御し、排出要求手段により２回目の排出要求があったときに、搬送手段によってフィルムを排出方向にさらに搬送して、保持手段によるフィルムの先端部の保持が解除される位置にフィルム位置を制御する位置制御手段とを備えたことを特徴とする画像読取装置。
【００６２】
〔実施態様２〕  フィルムの画像を読み取る画像読取装置において、フィルムを搬送する搬送手段と、フィルムの全長を検出する検出手段と、フィルムを保持する保持手段と、フィルムの排出を要求する排出要求手段と、排出要求手段により排出要求があったときに、搬送手段によってフィルムを排出方向に搬送し、検出手段により検出したフィルムの全長が所定値よりも大きい場合には、フィルムの先端部を保持手段によって保持される位置にフィルム位置を制御し、フィルムの全長が所定値以下である場合には、保持手段による保持が解除される位置にフィルム位置を制御する位置制御手段とを備えたことを特徴とする画像読取装置。
【００６３】
〔実施態様３〕  フィルムの画像を読み取る画像読取装置のフィルム排出方法において、フィルムを搬送する搬送ステップと、フィルムを保持する保持ステップと、フィルムの排出を要求する排出要求ステップと、排出要求ステップにより最初の排出要求があったときに、フィルムを排出方向に搬送し、フィルムの先端部を保持ステップによって保持される位置にフィルム位置を制御し、排出要求ステップにより２回目の排出要求があったときに、搬送ステップによってフィルムを排出方向にさらに搬送して、保持ステップによるフィルムの先端部の保持が解除される位置にフィルム位置を制御する位置制御ステップとを有することを特徴とするフィルム排出方法。
【００６４】
〔実施態様４〕  フィルムの画像を読み取る画像読取装置において、フィルムを搬送する搬送ステップと、フィルムの全長を検出する検出ステップと、フィルムを保持する保持ステップと、フィルムの排出を要求する排出要求ステップと、排出要求ステップにより排出要求があったときに、フィルムを排出方向に搬送し、検出手段により検出したフィルムの全長が所定値よりも大きい場合には、フィルムの先端部を保持ステップによって保持される位置にフィルム位置を制御し、フィルムの全長が所定値以下である場合には、保持ステップによるフィルムの先端部の保持が解除される位置にフィルム位置を制御する位置制御ステップとを有することを特徴とするフィルム排出方法。
【００６５】
〔実施態様５〕  フィルムの画像を読み取る画像読取装置のフィルム排出プログラムであって、フィルムを搬送する搬送ステップと、フィルムを保持する保持ステップと、フィルムの排出を要求する排出要求ステップと、排出要求ステップにより最初の排出要求があったときに、フィルムを排出方向に搬送し、フィルムの先端部を保持ステップによって保持される位置にフィルム位置を制御し、排出要求ステップにより２回目の排出要求があったときに、搬送ステップによってフィルムを排出方向にさらに搬送して、保持ステップによるフィルムの先端部の保持が解除される位置にフィルム位置を制御する位置制御ステップとをコンピュータに実行させるフィルム排出プログラム。
【００６６】
〔実施態様６〕  フィルムの画像を読み取る画像読取装置のフィルム排出プログラムであって、フィルムを搬送する搬送ステップと、フィルムの全長を検出する検出ステップと、フィルムを保持する保持ステップと、フィルムの排出を要求する排出要求ステップと、排出要求ステップにより排出要求があったときに、フィルムを排出方向に搬送し、検出手段により検出したフィルムの全長が所定値よりも大きい場合には、フィルムの先端部を保持ステップによって保持される位置にフィルム位置を制御し、フィルムの全長が所定値以下である場合には、保持ステップによるフィルムの先端部の保持が解除される位置にフィルム位置を制御する位置制御ステップとをコンピュータに実行させるフィルム排出プログラム。
【００６７】
【発明の効果】
以上詳細に説明したように、請求項１に記載の画像読取装置によれば、フィルムの位置は、最初の排出要求によって先端部が保持された位置に制御され、再度の排出要求によって先端部の保持が解除された位置に制御されるので、長いフィルムの落下防止及び短いフィルムを取り出す際の操作性の向上を両立することができ、もって、排出したフィルムの取扱いに優れた画像読取装置となる。
【図面の簡単な説明】
【図１】本発明の実施の形態に係る画像読取装置の斜視図である。
【図２】３５ｍｍフィルムの給送及び画像読取を説明するブロック図である。
【図３】図１のフィルムスキャナ１の動作を示すフローチャートである。
【図４】長尺のフィルムをフィルムの先頭まで排出した状態を例示する図である。
【図５】短いフィルムを所定量排出した状態を例示する図である。
【図６】本発明の第２の実施の形態にかかる画像読取装置としてのフィルムスキャナの動作を示すフローチャートである。
【符号の説明】
１  フィルムスキャナ
２  ３５ｍｍ挿入口
３  ＡＰＳ挿入口
４  イジェクトボタン
１１  搬送ローラ
１３  フィルム室
１６  フィルム先端センサ
１５  フィルム挿入センサ
１７  ランプ
１８  撮像光学系
１９  ＣＣＤ
２１  メモリ
２０  信号処理回路
２２  インバータ
３０  マイコン
Ｆ  フィルム
Ｍ  搬送モータ
【図１】
2004260597.tif 000003
【図２】
2004260597.tif 000004
【図３】
2004260597.tif 000005
【図４】
2004260597.tif 000006
【図５】
2004260597.tif 000007
【図６】
2004260597.tif 000008